(57)【要約】  【課題】  欠損した下肢側の残った大腿部の長さが短い場合や、下肢が股関節部から切断されて大腿部がない場合でも、円滑に歩行できるようにする。  【解決手段】  クロッチサポート１と、クロッチサポート１の下面に垂設されて略下肢と同じ長さをした軸部２１と、軸部２１下端に取り付けられた足部２２とを備えた座骨支持式義足において、前記クロッチサポート１は、平面略Ｌ字形に形成され、一方の正面端部２側が前方に配置されて装着時に股間の略前半分にあてがわれるとともに、他方の側面端部３側が欠損下肢側背面に配置されて装着時に欠損下肢側の座骨および臀部にあてがわれるようにする。クロッチサポート１の前後端部に回動を可能に前バンド支持具４１および後バンド支持具４２を備えて、腰バンド４３，４４および肩吊りバンド４７を装着する。【選択図】  図１６
2005348989.tif 000002
【特許請求の範囲】
【請求項１】
クロッチサポートと、該クロッチサポートの下面に垂設されて略下肢と同じ長さをした軸部と、該軸部下端に取り付けられた足部とを備えた座骨支持式義足において、
前記クロッチサポートは、平面略Ｌ字形に形成され、一方の端部側が前方に配置されて装着時に股間の略前半分にあてがわれるとともに、他方の端部側が欠損下肢側背面に配置されて装着時に欠損下肢側の座骨および臀部にあてがわれることを特徴とした座骨支持式義足。
【請求項２】
請求項１に記載の座骨支持式義足において、
前記クロッチサポートは、その両端部が隆起していることを特徴とした座骨支持式義足。
【請求項３】
請求項１または２に記載の座骨支持式義足において、
前記軸部を前記クロッチサポートの中間屈曲部の下面に垂設するとともに、前記軸部を欠損下肢側斜め前方へオフセットさせたことを特徴とする座骨支持式義足。
【請求項４】
請求項１乃至３のいずれかに記載の座骨支持式義足において、
前記クロッチサポートの前端部に前上下方向の回動を可能に取り付けられた前バンド支持具と、
前記クロッチサポートの中間屈曲部後端に後上下方向の回動を可能に取り付けられた後バンド支持具と、
前記前・後バンド支持具の上端にそれぞれ接続されて義足装着者の腰回りに締めつけ自在かつ着脱自在に装着される腰バンドと、
を備えたことを特徴とする座骨支持式義足。
【請求項５】
請求項４に記載の座骨支持式義足において、
前記前・後バンド支持具の上端にそれぞれ端部が接続されて義足装着者の肩に締めつけ自在かつ着脱自在に装着される肩吊りバンドを備えたことを特徴とする座骨支持式義足。    
【請求項６】
請求項１乃至５のいずれかに記載の座骨支持式義足において、
前記クロッチサポートを左右対称形状にするとともに、前記前バンド支持具を前記クロッチサポートの両方の端部に着脱自在に装着可能とし、かつ前記後バンド支持具を前記クロッチサポートの中間屈曲部後端での取り付け方向を垂直軸回りに旋回可能にすることで、左右いずれの下肢欠損者にも装着可能としたことを特徴とする座骨支持式義足。
【請求項７】
請求項１乃至６のいずれかに記載の座骨支持式義足において、
前記軸部上部に斜め前下方向に取り付けられて欠損下肢側の大腿部が締めつけバンドにより固定される凹面形状をした腿当て部を備えたことを特徴とする座骨支持式義足。
【請求項８】
請求項１乃至７のいずれかに記載の座骨支持式義足において、
前記軸部の中間に上下動自在な円筒を被せるとともに、該円筒が下降している位置の円筒内の軸部を上下二分割してヒンジ結合させ、前記円筒を上昇させた状態で前記軸部の上部を後方へ傾斜可能にしたことを特徴とする座骨支持式義足。
【請求項９】
請求項１乃至８のいずれかに記載の座骨支持式義足において、
前記軸部の任意の区間を二重軸構造にするとともに、該二重軸構造部分に軸方向適間隔に複数の直径方向孔を穿設し、かつ該孔にピンを抜き差し自在に挿入して前記軸部の長さを段階的に調節可能にしたことを特徴とする座骨支持式義足。
【請求項１０】
請求項１乃至９のいずれかに記載の座骨支持式義足において、
前記足部の下側接地面の前後方向中間位置であって左右方向片側にオフセットした位置で前記足部を前記軸部下端に接続するとともに、前記軸部下端を前記足部に挿入・抱持しかつ足部をねじを用いた締めつけ構造とし、前記軸部下端に対する前記足部のオフセット方向を左右切り換え可能にしたことを特徴とする座骨支持式義足。
【発明の詳細な説明】
【技術分野】
【０００１】
本発明は、義足の上端にクロッチサポートを設けて股間にあてがい座骨で体重を支える座骨支持式義足に関する。
【背景技術】
【０００２】
従来、義足の上端にサドルを設けて股間にあてがい座骨で体重を支えるとともに、欠損した下肢側の残った大腿部を義足に固定する座骨支持式義足として特許文献１に記載の「義足」や、特許文献２に記載の「サドル式松葉杖」がある。これらは、サドルを股間にあてがい体重を支えるため、事故、地雷、病気等で下肢を欠損または負傷した場合に、傷口が完治しない早期の段階から義足を装着して歩行することを可能にした。また、これらは、従来の義足のように、欠損した下肢の欠損部形状に合わせてオーダーメードで作成する必要がないため、量産が可能であり、低価格で提供することを可能にした。
【特許文献１】意匠登録第１１６３８９１号公報
【特許文献２】特開２００２−３４７１７号公報
【発明の開示】
【発明が解決しようとする課題】
【０００３】
上述したように、座骨支持式義足は欠損した下肢の先端部に荷重がかからないため装着感が良く、また、特別な歩行訓練をする必要がなく、装着後すぐに歩行が可能になる。しかしながら、従来の座骨支持式義足を装着した状態の姿勢を前方から見ると、健常な下肢側は下肢にかかる体重を骨盤の端部の股関節で支えているが、欠損した下肢側は義足をつけたため下肢にかかる体重がサドルを介して股間の座骨部すなわち左右方向の中心位置で支えることになる。その結果、上体を支持する姿勢が左右アンバランスとなり、上体が健常の下肢側に移動した姿勢となりやすく、歩行中の上体の姿勢も乱れやすくなる。
【０００４】
また、従来の座骨支持式義足は、欠損した下肢側に残った大腿部の長さが短い場合に、義足と大腿部の固定が不十分となる。また、下肢が股関節部から切断されて大腿部がない場合は、義足を大腿部に固定することができない。これらの場合は、身体への義足の取り付けが不十分となり、歩行動作中に、後方の義足を引き上げて前方へ移動させる動作が円滑に行われないという問題があった。
【０００５】
また、従来の座骨支持式義足は、義足を欠損した下肢側の大腿部に固定して歩行する場合、義足の先端の足部の移動に着目すると、股間のサドル部を中心として足部は振り子のように前後動をする。このとき足部の前上方への振れ角度と後ろ上方への振れ角は略等しくなる。一方、義足を着けない健常な下肢側の大腿部の動きを見ると、膝関節があるため、大腿部は前上方への振れ角度が大きくなり、その分、後ろへの振れ角は小さくなる。このように、健常な側の大腿部に比べ、義足側の可動範囲が後方に偏ることになり、欠損側の大腿部に、健常時の歩行中にはあり得なかった後方への傾きを強いることになる。その結果、歩行中に大腿部が後方に残り義足が後方に傾く場合は、骨盤も同時に傾けられることになり、上半身が前傾したり捻られたりして、歩行姿勢が乱れることになる。
【０００６】
そこで、本発明は、義足にかかる体重の左右アンバランスをより少なくして装着感をより改善した座骨支持式義足を提案することを目的とする。また、本発明は、欠損した下肢側の残った大腿部が短かったり、大腿部がない場合でも、義足を座骨部に確実に固定することのできる座骨支持式義足を提案することを目的とする。さらに、本発明は、歩行中に義足を前後移動させる際の動作をより円滑にして姿勢の乱れを少なくすることのできる座骨支持式義足を提案することを目的とする。
【課題を解決するための手段】
【０００７】
上記課題を解決するために、本発明は、クロッチサポートと、該クロッチサポートの下面に垂設されて略下肢と同じ長さをした軸部と、該軸部下端に取り付けられた足部とを備えた座骨支持式義足において、前記クロッチサポートは、平面略Ｌ字形に形成され、一方の端部側が前方に配置されて装着時に股間の略前半分にあてがわれるとともに、他方の端部側が欠損下肢側背面に配置されて装着時に欠損下肢側の座骨および臀部にあてがわれることを特徴とした。
ここで、前記クロッチサポートは、その両端部が隆起していることが好ましい。
また、前記軸部を前記クロッチサポートの中間屈曲部の下面に垂設するとともに、前記軸部を欠損下肢側斜め前方へオフセットさせることが好ましい。
また、本発明に係る座骨支持式義足は、前記クロッチサポートの前端部に前上下方向の回動を可能に取り付けられた前バンド支持具と、前記クロッチサポートの中間屈曲部後端に後上下方向の回動を可能に取り付けられた後バンド支持具と、前記前・後バンド支持具の上端にそれぞれ接続されて義足装着者の腰回りに締めつけ自在かつ着脱自在に装着される腰バンドとを備えることが好ましい。
ここで、前記前・後バンド支持具の上端にそれぞれ端部が接続されて義足装着者の肩に締めつけ自在かつ着脱自在に装着される肩吊りバンドを備えることが好ましい。
また、前記クロッチサポートを左右対称形状にするとともに、前記前バンド支持具を前記クロッチサポートの両方の端部に着脱自在に装着可能とし、かつ前記後バンド支持具を前記クロッチサポートの中間屈曲部後端での取り付け方向を垂直軸回りに旋回可能にすることで、左右いずれの下肢欠損者にも装着可能となる。
また、前記軸部上部に斜め前下方向に取り付けられて欠損下肢側の大腿部が締めつけバンドにより固定される凹面形状をした腿当て部を備えることが好ましい。
また、前記軸部の中間に上下動自在な円筒を被せるとともに、該円筒が下降している位置の円筒内の軸部を上下二分割してヒンジ結合させ、前記円筒を上昇させた状態で前記軸部の上部を後方へ傾斜可能にすることが好ましい。
また、前記軸部の任意の区間を二重軸構造にするとともに、該二重軸構造部分に軸方向適間隔に複数の直径方向孔を穿設し、かつ該孔にピンを抜き差し自在に挿入して前記軸部の長さを段階的に調節可能にすることが好ましい。
また、前記足部の下側接地面の前後方向中間位置であって左右方向片側にオフセットした位置で前記足部を前記軸部下端に接続するとともに、前記軸部下端を前記足部に挿入・抱持しかつ足部をねじを用いた締めつけ構造とし、前記軸部下端に対する前記足部のオフセット方向を左右切り換え可能にしたことを特徴とする座骨支持式義足。
【発明の効果】
【０００８】
以上述べたように本発明によれば、クロッチサポートの形状を平面略Ｌ字形にして、一方の端部を股間にあてがい他方の端部を欠損下肢側の臀部にあてがうことで、義足側に体重をあずけたとき、欠損下肢側の座骨で体重が支えられるようになり、体重支持の左右のアンバランスが改善されて、装着感が改善され、より自然な歩行が可能となる。
また、軸部の上部をクロッチサポートの接続位置から欠損下肢側斜め前方にオフセットさせたことで、体重を支える義足の安定性を増し、歩行をより円滑にすることができる。
さらに、クロッチサポートの前・後端部に上下方向の回動を可能にそれぞれ前・後バンド支持具取り付け、その前・後バンド支持具の上端にそれぞれ腰バンドを接続して義足装着者の腰回りに締めつけ自在、着脱自在に装着することで、義足の装着性が向上し、安定した歩行が可能となる。
また、前・後バンド支持具の上端に肩吊りバンドの端部を接続して義足装着者の肩にクロッチサポートを吊り下げるように支持することで、義足の装着性がさらに向上し、安定した歩行が可能となる。
また、クロッチサポートの形状を左右対称にするとともに、前・後バンド支持具の取り付け位置を左右切り換え可能にし、さらに足部のオフセット方向を左右切り換え可能にしたことで、左右いずれの下肢欠損者にも装着可能となる。
また、軸部上部に斜め前下方向に腿当て部を設けて欠損下肢側の大腿部を固定することで、歩行の安定性が向上する。
また、軸部の中間にヒンジを設けたことで、義足を装着したままで腰掛けることが可能となる。
また、軸部の長さを段階的に調節可能にしたことで、１種類の義足で装着者の体格の大小に対応可能となる。
【発明を実施するための最良の形態】
【０００９】
以下、図に基づいて本発明の実施形態を説明する。なお、実施形態で述べる座骨支持式義足は、左右対称に構成されており、欠損下肢が左右いずれの場合も切り換えて装着可能であるが、左側の下肢が欠損した装着者に装着する場合について説明する。
始めに、クロッチサポート部分の構造について説明する。図１乃至図８は本発明に係る座骨支持式義足のクロッチサポート部分を単独で示した図であり、図１はクロッチサポートを斜め後方から見た斜視図、図２は平面図、図３は底面図、図４は正面図、図５は背面図、図６は右側面図、図７は左側面図、図８は分解斜視図である。
【００１０】
これらの図に示されるように、クロッチサポート１は、平面の形状がＬ字形に形成されて、正面端部２と側面端部３がやや幅広で隆起している。また、中間屈曲部４もやや幅広に形成されている。義足の装着時に、この正面端部２側が股間の前半にあてがわれるとともに、側面端部３側が欠損下肢側である左の臀部および座骨にあてがわれる。なお、図示例では、正面端部２と側面端部３とのなす交叉角度を１００度にしているが、１００度に限定されるものではない。クロッチサポート１の底面には、金属板からなる軸取り付け用の座板５が緊結され、その中心部分にクロッチサポート軸６が垂設されている。クロッチサポート軸６は、正面端部２と側面端部３との交叉角を２等分する方向の斜め前方向に傾斜しているとともに、下端が座板５と垂直な方向に屈曲されている。すなわち、クロッチサポート軸６の下端は、上端の基端部から斜め前方向にオフセットされている。
【００１１】
座板５の正面端部２側と側面端部３側の中間位置に、それぞれ１対のブラケット７，８が突設されて、後述する前バンド支持具４１を取り付けるためのＬ型リンク金具９が軸着される。座板５の中間のクロッチサポート軸６の基端部の外側には、図８に示されるように、ねじ孔１１が形成されて、後述する後バンド支持具４２を取り付けるための金具１２がスリーブ１３を介してビス１４により旋回可能に軸着される。それにより、金具１２はビス１４を中心にして約１００度の旋回が可能となる。座板５の両端部には、金属板をＬ字状に折曲した接続金具１５，１６がそれぞれビス留めされ、それらの上部が正面端部２の端面および側面端部３の端面に当接されている。接続金具１５，１６の上端には、後述する腿当て部３１に取り付けられる締めつけバンド３２が係止される。
【００１２】
次に、クロッチサポート部分に、軸部、足部および前・後バンド支持具を取り付けた組立途中状態の座骨支持式義足について説明する。図９乃至図１５はその組立途中状態の座骨支持式義足を示した図であり、図９は斜め前方から見た斜視図、図１０は平面図、図１１は底面図、図１２は正面図、図１３は背面図、図１４は右側面図、図１５は左側面図である。これらの図に示されるように、クロッチサポート軸６の下端に軸部２１が接続され、その下端に足部２２が取り付けられている。軸部２１の上端は、上軸２３からなり、クロッチサポート軸６の挿入が可能なように、筒状に形成されるとともに、外周にスリットが形成され、クロッチサポート軸６を挿入した後、その外側をスリットカラー２４で締めつけることで、上軸２３とクロッチサポート軸６を任意の角度に調節して接続することが可能である。
【００１３】
スリットカラー２４の下方の上軸２３には、カラー２５が昇降自在に嵌着されて、内側に後述するヒンジ構造が内蔵されている。上軸２３の下端は、内側に中軸２６が挿入されその外側をスリットカラー２７により締めつけて接続されている。中軸２６は中空構造をして下端から下軸２８が挿入されており、クリップピン２９を抜き差しすることで、高さの調整が可能である。それにより、本発明の義足は、１種類の義足で装着者の体格の大小に対応可能となる。下軸２８の下端が挿入される足部２２は、挿入部にスリットが形成されてビスによりクランプする構造になっており、足部２２の取り付け位置を左右に入れ換えることが可能である。
【００１４】
クロッチサポート１の正面端部２と側面端部３との間の下方に当たるクロッチサポート軸６には、モールド製の凹面状をした腿当て部３１がクロッチサポート軸６と平行に取り付けられている。正面端部２の前方には、Ｌ型リンク金具９の端部に連結された前バンド支持具４１が前後に回動可能に支持されている。中間屈曲部４の後方には、金具１２の端部に連結された後バンド支持具４２が前後に回動可能に支持されている。
【００１５】
次に、装着状態に組み立てられた座骨支持式義足について説明する。図１６乃至図２２は組み立てられた状態の座骨支持式義足を示した図であり、図１６は斜め前方から見た斜視図、図１７は平面図、図１８は底面図、図１９は正面図、図２０は背面図、図２１は右側面図、図２２は左側面図である。これらの図に示されるように、腿当て部３１には、装着者の欠損下肢側である左大腿部があてがわれ、３本の締めつけバンド３２〜３４により腿当て部３１に固定される。上位の締めつけバンド３２は、両端が接続金具１５，１６に接続されて、押さえ板３５，３６の外側を介して、バックル３７により締めつけられる。中位の締めつけバンド３３は、腿当て部３１の裏面に巻きつけて、押さえ板３５，３６の外側を介して、バックル３８により締めつけられる。下位の締めつけバンド３４は、腿当て部３１の裏面に巻きつけて、押さえ板３５，３６の外側を介して、バックル３９により締めつけられる。このようにして、腿当て部３１に固定された左大腿部は、斜め前下方に向けられているため、歩行時に左大腿部により義足を前後動させることが容易となる。
【００１６】
次に、前バンド支持具４１と後バンド支持具４２の左側には腰バンド４３が、同様に右側には腰バンド４４が接続されて、バックル４５，４６により締めつけられる。その結果、クロッチサポート１は、装着者の腰にしっかりと固定されて、この状態だけでも、歩行が可能となる。ここでさらに、クロッチサポート１を装着者にしっかりと固定するために、前バンド支持具４１と後バンド支持具４２との間に、肩吊りバンド４７を掛け渡して、バックル４８，４９により締めつける。このようにして、腰と両肩を用いて、クロッチサポート１を装着者に取り付けることで、歩行性が向上する。
【００１７】
図２３は上軸２３の途中に形成されたヒンジ部の折り曲げた状態を示す斜視図である。上軸２３の中間部は、上下二分割され、その上下部分にスリットカラー２４，２７が固定され、その間にカラー２５が上下動自在に嵌合されている。分割部の下側上端には二山クレビス５１が形成され、分割部の上側下端には二山クレビス５１に対応した突起部５２が形成され、二山クレビス５１と突起部５２を嵌合させた状態でピン５３を挿通することにより回動自在に連結されている。通常は、このヒンジ部を伸ばした状態で、カラー２５を下降させてヒンジ部を覆うことで、上軸２３の上下が一直線の剛体の状態に保持される。
【００１８】
このように構成されたヒンジ部は、義足装着者が歩行を中断して椅子等に腰掛ける際に、カラー２５を上昇させてから上軸２３の上部を後方に折り曲げることでヒンジ部が折り曲げ可能となる。歩行を開始する場合は、ヒンジ部を伸ばしてからカラー２５を下方へスライドすることで上軸２３の上下が一直線の状態になり、歩行が可能となる。また、ヒンジ部を曲げて腰掛けたとき、図８に示される前バンド支持具４１がＬ型リンク金具９により前下方へ倒すことが可能となり、腰掛けたとき、前バンド支持具４１が腹部を圧迫することが解消される。
【００１９】
図２４および図２５は軸部２１の下端を示す外観図であり、図２６は図２４のＡ−Ａ線断面図である。図示されるように、中軸２６はパイプ材からなり、その下端の内側に中軸２６より一段細い下軸２８が出し入れ自在に挿入されている。中軸２６と下軸２８には一定間隔で直径方向に貫通孔５６，５７が形成されている。中軸２６と下軸２８の嵌合量を調節して、貫通孔５６，５７にクリップピン２９を挿入することで、軸部２１の長さを段階的に調節することが可能となる。クリップピン２９は、Ω字状の弾性部材からなるクリップの中心部分にピンを取り付けたもので、中軸２６にワンタッチで着脱が可能である。中軸２６の下端部の外周部にはねじが形成されており、そのねじ部にねじ付きのカラー５８を螺着して締めつけることで、中軸２６と下軸２８とがガタを発生することなく接続される。
【００２０】
また、下軸２８の下端は、足部２２の上面の片側にオフセットした位置に突設されたボス部５９に挿入された状態で、ボス部５９の側面に形成されたスリット部分をボルトにより締めつけることで足部２２が固定されている。通常、足部２２の中心は外側にオフセットさせているが、装着者が義足装着直後の歩行になれない時点では、足部２２を内側にオフセットさせて歩行することも可能である。この足部２２は、軸部２１が左右どちらかにオフセットされるかに合わせて、向きが調整される。また、図１１および図１８の底面図にも示されるように、足部２２は、歩行方向と平行にすることが好ましい。
【００２１】
図２７は、前バンド支持具４１を支持しているＬ型リンク金具９の可動範囲を示す斜視図である。前バンド支持具４１に腰バンド４３，４４が装着されている状態では、Ｌ型リンク金具９は上昇して、屈曲部内側がクロッチサポート１の正面端部２に当接されている。前バンド支持具４１から腰バンド４３，４４が外された状態では、Ｌ型リンク金具９は自重で下降する。また、前バンド支持具４１に腰バンド４３，４４が装着されている状態であっても、装着者が、腰掛けた姿勢になると、義足に対して、装着者の腰部分が前屈した状態となるので、前バンド支持具４１およびＬ型リンク金具９が下降することになる。
【００２２】
図２８は、前バンド支持具４１を支持しているＬ型リンク金具９の着脱操作を示す斜視図である。図示例は、左下肢が欠損している装着者に装着される場合を示しているが、この義足を右下肢が欠損した装着者に装着する場合は、Ｌ型リンク金具９をクロッチサポート１の正面端部２から外して側面端部３側に装着する。その場合は、図示されるように、クロッチサポート１の下面のブラケット７に螺着されている六角穴付きボルトを六角レンチで外して、ブラケット７からＬ型リンク金具９を取り外して、側面端部３側のブラケット８に装着する。このように、Ｌ型リンク金具９の付け替えは、六角レンチ１本で実施可能となる。
【００２３】
図２９は、同様に義足を左側装着の場合から右側装着に切り換える場合に、後バンド支持具４２の方向を旋回して変更する場合を示す斜視図である。図示例は、左下肢が欠損している装着者に装着される場合を示しているが、この義足を右下肢が欠損した装着者に装着する場合は、Ｌ型リンク金具９を付け替えると同時に、後バンド支持具４２が支持されている金具１２を、ビス１４を中心にして反時計方向に約１００度の旋回をさせる。この金具１２の旋回は、道具を用いることなく簡単にできる。
【００２４】
図３０は、上述した構成の義足を装着した状態を示す正面図である。義足のクロッチサポート１が装着者の股間および欠損下肢側の左臀部にあてがわれるとともに、前バンド支持具４１および後バンド支持具４２を介して腰バンド４３，４４、肩吊りバンド４７により装着者に固定される。さらに、左大腿部が腿当て部３１に締めつけバンド３２〜３４により固定される。このように装着されたことで、左の義足側にかけた体重は、股間と左側の座骨により支えられるため、従来の座骨式支持式義足よりも、左右方向の安定性が増す。また、歩行時は、残っている左大腿部により、義足を前後動することが可能となり、歩行性が向上する。また、腰バンド４３，４４、肩吊りバンド４７を用いたことで身体への装着性が増し、この状態で義足の上からズボンを履いて歩行することも可能となり、義足を装着したことで装着者に発生する羞恥心を緩和することも可能となる。
【産業上の利用可能性】
【００２５】
本発明は、事故、地雷、病気等で下肢を欠損した場合の義足として利用する以外に、骨折または負傷のため、片側の脚が体重を支えられない場合に松葉杖替わりとして一時的に使用することも可能である。
【図面の簡単な説明】
【００２６】
【図１】本発明に係る座骨支持式義足のクロッチサポートを斜め後方から見た斜視図である。
【図２】本発明に係る座骨支持式義足のクロッチサポートの平面図である。
【図３】本発明に係る座骨支持式義足のクロッチサポートの底面図である。
【図４】本発明に係る座骨支持式義足のクロッチサポートの正面図である。
【図５】本発明に係る座骨支持式義足のクロッチサポートの背面図である。
【図６】本発明に係る座骨支持式義足のクロッチサポートの右側面図である。
【図７】本発明に係る座骨支持式義足のクロッチサポートの左側面図である。
【図８】本発明に係る座骨支持式義足のクロッチサポートの分解斜視図である。
【図９】本発明に係る座骨支持式義足の組立途中の斜視図である。
【図１０】本発明に係る座骨支持式義足の組立途中の平面図である。
【図１１】本発明に係る座骨支持式義足の組立途中の底面図である。
【図１２】本発明に係る座骨支持式義足の組立途中の正面図である。
【図１３】本発明に係る座骨支持式義足の組立途中の背面図である。
【図１４】本発明に係る座骨支持式義足の組立途中の右側面図である。
【図１５】本発明に係る座骨支持式義足の組立途中の左側図である。
【図１６】本発明に係る座骨支持式義足の組立後の斜視図である。
【図１７】本発明に係る座骨支持式義足の組立後の平面図である。
【図１８】本発明に係る座骨支持式義足の組立後の底面図である。
【図１９】本発明に係る座骨支持式義足の組立後の正面図である。
【図２０】本発明に係る座骨支持式義足の組立後の背面図である。
【図２１】本発明に係る座骨支持式義足の組立後の右側図である。
【図２２】本発明に係る座骨支持式義足の組立後の左側図である。
【図２３】上軸に形成されたヒンジ部の折り曲げた状態を示す斜視図である。
【図２４】軸部の下端を示す外観図である。
【図２５】軸部の下端を示す外観図である。
【図２６】図２４のＡ−Ａ線断面図である。
【図２７】Ｌ型リンク金具の可動範囲を示す斜視図である。
【図２８】Ｌ型リンク金具の着脱操作を示す斜視図である。
【図２９】後バンド支持具の方向を旋回して変更する場合を示す斜視図である。
【図３０】義足を装着した状態を示す正面図である。
【符号の説明】
【００２７】
１  クロッチサポート
２  正面端部
３  側面端部
４  中間屈曲部
５  座板
６  クロッチサポート軸
７，８  ブラケット
９  Ｌ型リンク金具
１１  ねじ孔
１２  金具
１３  スリーブ
１４  ビス
１５，１６  接続金具
２１  軸部
２２  足部
２３  上軸
２４  スリットカラー
２５  カラー
２６  中軸
２７  スリットカラー
２８  下軸
２９  クリップピン
３１  腿当て部
３２〜３４  締めつけバンド
３５，３６  押さえ板
３７〜３９  バックル
４１  前バンド支持具
４２  後バンド支持具
４３，４４  腰バンド
４５，４６  バックル
４７  肩吊りバンド
４８，４９ 
バックル
５１  二山クレビス
５２  突起部
５３  ピン
５６，５７  貫通孔
５８  カラー
５９  ボス部
【図１】
2005348989.tif 000003
【図２】
2005348989.tif 000004
【図３】
2005348989.tif 000005
【図４】
2005348989.tif 000006
【図５】
2005348989.tif 000007
【図６】
2005348989.tif 000008
【図７】
2005348989.tif 000009
【図８】
2005348989.tif 000010
【図９】
2005348989.tif 000011
【図１０】
2005348989.tif 000012
【図１１】
2005348989.tif 000013
【図１２】
2005348989.tif 000014
【図１３】
2005348989.tif 000015
【図１４】
2005348989.tif 000016
【図１５】
2005348989.tif 000017
【図１６】
2005348989.tif 000018
【図１７】
2005348989.tif 000019
【図１８】
2005348989.tif 000020
【図１９】
2005348989.tif 000021
【図２０】
2005348989.tif 000022
【図２１】
2005348989.tif 000023
【図２２】
2005348989.tif 000024
【図２３】
2005348989.tif 000025
【図２４】
2005348989.tif 000026
【図２５】
2005348989.tif 000027
【図２６】
2005348989.tif 000028
【図２７】
2005348989.tif 000029
【図２８】
2005348989.tif 000030
【図２９】
2005348989.tif 000031
【図３０】
2005348989.tif 000032